(57)【要約】【課題】拭き取り消毒がより容易にかつ確実に行なえる取扱い性に優れたニードルレスポートを提供する。【解決手段】ニードルレスポート１Ａは、雄ルアーが挿入可能な開口が一端に形成されるとともに、外周面に雄ネジ２１ｂが設けられてなる略円筒状のポート部２１と、ポート部２１の他端に配置され、上記開口を介して挿入された雄ルアーによって押し下げられることで開放可能な自閉式のスリット３１が設けられたセプタム３０と、ポート部２１に着脱自在に取付けられ、取付状態において上記開口を閉鎖可能なキャップ３とを備える。キャップ３は、雄ネジ２１ｂに螺合可能な雌ネジ４１ａが内周面に設けられた略円筒状の固定部４１と、固定部４１の内部を挿通可能となるように固定部４１の軸方向に沿って延在するロッド部４３とを含む。固定部４１とロッド部４３とは、固定部４１の軸方向に沿って相対的に移動可能に連結される。【選択図】図３
2017143945.tif 000002
【特許請求の範囲】
【請求項１】
雄ルアーが挿入可能な開口が一端に形成されるとともに、外周面に雄ネジが設けられてなる略円筒状のポート部と、
前記ポート部の他端に配置され、前記開口を介して挿入された雄ルアーによって押し下げられることで開放可能な自閉式のスリットが設けられたセプタムと、
前記ポート部に着脱自在に取付けられ、前記ポート部に取付けられた取付状態において、前記開口を閉鎖可能なキャップとを備え、
前記キャップは、前記雄ネジに螺合可能な雌ネジが内周面に設けられた略円筒状の固定部と、前記固定部の内部を挿通可能となるように前記固定部の軸方向に沿って延在するロッド部とを含み、
前記固定部と前記ロッド部とが、前記固定部の軸方向に沿って相対的に移動可能に連結されている、ニードルレスポート。
【請求項２】
前記ロッド部が、前記ポート部の前記一端または前記ポート部の内周面と突き当たり可能な拡径部を有している、請求項１に記載のニードルレスポート。
【請求項３】
前記拡径部が、前記ポート部の内径よりも大きい外形を有し、
前記ロッド部のうち、前記取付状態において前記セプタム側に位置することとなる前記ロッド部の先端から前記固定部の軸方向に沿って前記ロッド部の根元側に向けて離れた部分に前記拡径部が設けられることにより、前記ロッド部の前記ポート部に対する挿入深さが制限されるように構成されている、請求項２に記載のニードルレスポート。
【請求項４】
前記固定部と前記ロッド部とが、一部品にて構成されている、請求項１から３のいずれかに記載のニードルレスポート。
【請求項５】
前記固定部と前記ロッド部とが異なる部材からなることにより、前記キャップが、前記異なる部材からなる二部品にて構成されている、請求項１から３のいずれかに記載のニードルレスポート。
【請求項６】
前記取付状態において前記セプタム側に位置することとなる前記ロッド部の先端が前記固定部の軸方向に沿った少なくとも１カ所以上の位置において軽保持されるように、前記キャップが構成されている、請求項１から５のいずれかに記載のニードルレスポート。
【請求項７】
内周面に雌ネジが設けられた略円筒状の固定部と、
前記固定部の内部を挿通可能となるように前記固定部の軸方向に沿って延在し、その延在方向における一端側に先端を他端側に根元を有するロッド部とを備え、
前記固定部と前記ロッド部とが、前記固定部の軸方向に沿って相対的に移動可能に連結されており、
前記ロッド部が、前記先端が位置する側に向けて、前記先端が前記固定部の軸方向に沿って前記固定部よりも５．０ｍｍ以上突出した位置にまで移動可能に構成されている、ニードルレスポート用キャップ。
【請求項８】
前記ロッド部のうち、前記先端から前記固定部の軸方向に沿って前記根元が位置する側に向けて離れた位置に、直径が４．９ｍｍの仮想円よりも大きい外形を有する部位が設けられている、請求項７に記載のニードルレスポート用キャップ。
【請求項９】
前記固定部の軸方向に沿って前記先端が位置する側に向けて前記ロッド部が移動した状態において前記ロッド部の前記先端が少なくとも１カ所以上の位置において軽保持されるように構成されている、請求項７または８に記載のニードルレスポート用キャップ。
【発明の詳細な説明】
【技術分野】
【０００１】
本発明は、輸液ラインや容器等に付設される混注ポートの一種であるニードルレスポートおよびこれに具備されるニードルレスポート用キャップ（以下、単にキャップと称する場合もある）に関する。
【背景技術】
【０００２】
従来、輸液ラインや容器等の密閉性を維持しつつ液体の注入や採取を可能にする混注ポートとして、様々な構造のものが提案されている。その一つとして、ニードルレスポートが知られている。
【０００３】
ニードルレスポートは、弾性変形することで開放可能な自閉式のスリットが設けられたセプタムを備えており、ポート部に挿入された雄ルアーによってセプタムが押し下げられることで上記スリットが開放するものである。このニードルレスポートは、金属製の穿刺針等を用いずとも液体の注入や採取が行なえるものであり、この点において高い利便性を備えている。
【０００４】
上述したニードルレスポートは、特に医療用途において汎用されており、たとえば投薬のために患者の静脈に繋がれる輸液ラインに付設される。この場合、ニードルレスポートは、たとえば輸液ラインを構成する一対のチューブの接続部に設置される医療用コネクタに設けられる。このようなニードルレスポートが設けられた医療用コネクタが具体的に開示された文献としては、たとえば特表２００９−５１１１８１号公報（特許文献１）がある。
【０００５】
ここで、医療用途に用いられるニードルレスポートにあっては、雄ルアーを挿入するための開口が不使用時において閉鎖されることとなるように、ポート部にキャップが着脱自在に取付けられることが一般的である。これは、衛生面の観点から、ニードルレスポートの雄ルアーが挿入されることとなる部分の表面に不使用時において細菌等が付着してしまうことを防止するためである。
【０００６】
一方で、医療用途に用いられるニードルレスポートにあっては、通常、上述したセプタムが、雄ルアーを挿入するための開口が設けられたポート部の奥まった位置に設けられる。これは、セプタムがポート部の開口寄りの位置に設けられた場合に、セプタムよりも奥側の位置に空間が別途発生し、当該空間に液体が滞留することで血栓が生じてしまう懸念があるためであり、これを防止するための措置である。
【０００７】
さらに、医療用途に用いられるニードルレスポートにあっては、衛生面の観点から、液体の注入や採取の前後において、雄ルアーに接触することとなる部分のセプタムの表面がアルコールを滲み込ませたガーゼ等の消毒用シートによって拭き取り消毒される。しかしながら、上述したようにセプタムをポート部の奥まった位置に設けた場合には、当該セプタムの表面を拭き取り消毒することが困難になる課題があった。
【０００８】
そこで、上記特許文献１に開示のニードルレスポートにおいては、拭き取り消毒の作業性を向上させるために、ポート部に着脱自在に取付けられるキャップの頂面に外側に向けて突出する棒状の突出部を設けることとしている。これにより、拭き取り消毒の際に、取り外したキャップの天地をひっくり返して棒状の突出部に消毒用シートを宛がってこれをポート部に挿し込むことが可能になり、拭き取り消毒の作業性の容易化が図られる。
【先行技術文献】
【特許文献】
【０００９】
【特許文献１】特表２００９−５１１１８１号公報
【発明の概要】
【発明が解決しようとする課題】
【００１０】
しかしながら、上記特許文献１に開示の構成を採用した場合には、上述したようにキャップの天地をひっくり返す必要があるため、その際にキャップを過って落としてしまう蓋然性が高い問題があった。より具体的には、拭き取り消毒に際しては、一方の手で消毒用シートを持ち、他方の手でキャップを操作する場合が多く、その際にキャップの天地が片手でひっくり返されることになり、往々にしてキャップを落としてしまうおそれがあった。
【００１１】
したがって、本発明は、上述した問題を解決すべくなされたものであり、拭き取り消毒がより容易にかつ確実に行なえる取扱い性に優れたニードルレスポートおよびこれに具備されるニードルレスポート用キャップを提供することを目的とする。
【課題を解決するための手段】
【００１２】
本発明に基づくニードルレスポートは、雄ルアーが挿入可能な開口が一端に形成されるとともに、外周面に雄ネジが設けられてなる略円筒状のポート部と、上記ポート部の他端に配置され、上記開口を介して挿入された雄ルアーによって押し下げられることで開放可能な自閉式のスリットが設けられたセプタムと、上記ポート部に着脱自在に取付けられ、上記ポート部に取付けられた取付状態において、上記開口を閉鎖可能なキャップとを備えている。上記キャップは、上記雄ネジに螺合可能な雌ネジが内周面に設けられた略円筒状の固定部と、上記固定部の内部を挿通可能となるように上記固定部の軸方向に沿って延在するロッド部とを含んでいる。上記固定部と上記ロッド部とは、上記固定部の軸方向に沿って相対的に移動可能に連結されている。
【００１３】
上記本発明に基づくニードルレスポートにおいては、上記ロッド部が、上記ポート部の上記一端または上記ポート部の内周面と突き当たり可能な拡径部を有していることが好ましい。
【００１４】
上記本発明に基づくニードルレスポートにおいては、上記拡径部が、上記ポート部の内径よりも大きい外形を有していることが好ましく、その場合には、上記ロッド部のうち、上記取付状態において上記セプタム側に位置することとなる上記ロッド部の先端から上記固定部の軸方向に沿って上記ロッド部の根元側に向けて離れた部分に上記拡径部が設けられることにより、上記ロッド部の上記ポート部に対する挿入深さが制限されるように構成されていることが好ましい。
【００１５】
上記本発明に基づくニードルレスポートにおいては、上記固定部と上記ロッド部とが、単一の部材からなる一部品にて構成されていてもよい。
【００１６】
上記本発明に基づくニードルレスポートにおいては、上記固定部と上記ロッド部とが異なる部材からなることにより、上記キャップが、上記異なる部材からなる二部品にて構成されていてもよい。
【００１７】
上記本発明に基づくニードルレスポートにおいては、上記取付状態において上記セプタム側に位置することとなる上記ロッド部の先端が上記固定部の軸方向に沿った少なくとも１カ所以上の位置において軽保持されるように、上記キャップが構成されていることが好ましい。
【００１８】
本発明に基づくニードルレスポート用キャップは、内周面に雌ネジが設けられた略円筒状の固定部と、上記固定部の内部を挿通可能となるように上記固定部の軸方向に沿って延在し、その延在方向における一端側に先端を他端側に根元を有するロッド部とを備えている。上記固定部と上記ロッド部とは、上記固定部の軸方向に沿って相対的に移動可能に連結されている。上記ロッド部は、上記先端が位置する側に向けて、上記先端が上記固定部の軸方向に沿って上記固定部よりも５．０ｍｍ以上突出した位置にまで移動可能に構成されている。
【００１９】
上記本発明に基づくニードルレスポート用キャップにあっては、上記ロッド部のうち、上記先端から上記固定部の軸方向に沿って上記根元が位置する側に向けて離れた位置に、直径が４．９ｍｍの仮想円よりも大きい外形を有する部位が設けられていることが好ましい。
【００２０】
上記本発明に基づくニードルレスポート用キャップは、上記固定部の軸方向に沿って上記先端が位置する側に向けて上記ロッド部が移動した状態において上記ロッド部の上記先端が少なくとも１カ所以上の位置において軽保持されるように構成されていることが好ましい。
【発明の効果】
【００２１】
本発明によれば、拭き取り消毒がより容易にかつ確実に行なえる取扱い性に優れたニードルレスポートおよびこれに具備されるニードルレスポート用キャップとすることができる。
【図面の簡単な説明】
【００２２】
【図１】本発明の実施の形態１に係るニードルレスポートを備えた医療用コネクタにおいてコネクタ本体からキャップを取り外した状態を表わす斜視図である。
【図２】図１に示す医療用コネクタにおいてコネクタ本体にキャップを取付けた状態を表わす斜視図である。
【図３】図２に示す状態における医療用コネクタの断面図である。
【図４】図１に示すコネクタ本体の分解斜視図である。
【図５】本発明の実施の形態１に係るキャップの形態変化を示す断面図である。
【図６】本発明の実施の形態１に係るニードルレスポートを備えた医療用コネクタにおける拭き取り消毒時の操作を説明するための斜視図である。
【図７】本発明の実施の形態１に係るニードルレスポートを備えた医療用コネクタにおける拭き取り消毒時の状態を示す模式断面図である。
【図８】図１に示す医療用コネクタのニードルレスポートにルアーロック型シリンジを接続する場合の接続前後の模式断面図である。
【図９】本発明の実施の形態２に係るニードルレスポートを備えた医療用コネクタにおいてコネクタ本体からキャップを取り外した状態を表わす斜視図である。
【図１０】図９に示す医療用コネクタにおいてコネクタ本体にキャップを取付けた状態を表わす斜視図である。
【図１１】図１０に示す状態における医療用コネクタの断面図である。
【図１２】本発明の実施の形態２に係るキャップの形態変化を示す断面図である。
【図１３】本発明の実施の形態２に係るニードルレスポートを備えた医療用コネクタにおける拭き取り消毒時の操作を説明するための斜視図である。
【図１４】本発明の実施の形態２に係るニードルレスポートを備えた医療用コネクタにおける拭き取り消毒時の状態を示す模式断面図である。
【発明を実施するための形態】
【００２３】
以下、本発明の実施の形態について、図を参照して詳細に説明する。以下においては、本発明が適用されたニードルレスポートおよびこれに具備されるニードルレスポート用キャップを備えた医療用コネクタを例示して説明を行なう。なお、以下に示す実施の形態においては、同一のまたは共通する部分について図中同一の符号を付し、その説明は繰り返さない。
【００２４】
（実施の形態１）
図１は、本発明の実施の形態１に係るニードルレスポートを備えた医療用コネクタにおいてコネクタ本体からキャップを取り外した状態を表わす斜視図であり、図２は、コネクタ本体にキャップを取付けた状態を表わす斜視図である。また、図３は、図２に示す状態における医療用コネクタの図２中に示すＩＩＩ−ＩＩＩ線に沿った断面図であり、図４は、コネクタ本体の分解斜視図である。まず、これら図１ないし図４を参照して、本実施の形態に係るニードルレスポートおよびこれに具備されるニードルレスポート用キャップ３を備えた医療用コネクタ１Ａの構成について説明する。
【００２５】
図１ないし図３に示すように、医療用コネクタ１Ａは、コネクタ本体２と、キャップ３とを備えている。キャップ３は、コネクタ本体２の後述するポート部２１に着脱自在に取付けられる。医療用コネクタ１Ａは、たとえば投薬のために患者の静脈に繋がれる輸液ラインに付設されるものである。
【００２６】
図１ないし図４に示すように、コネクタ本体２は、第１ハウジング１０と、第２ハウジング２０と、セプタム３０とを有している。
【００２７】
第１ハウジング１０は、全体として略円筒状の形状を有しており、ベース部１１と、第１ポート１２と、第２ポート１３と、台座部１４とを主として含んでいる。
【００２８】
ベース部１１は、略円筒状の形状を有しており、全体として略円筒状の形状を有する第１ハウジング１０の軸方向における略中央部に位置している。ベース部１１の内部には、輸液ラインの一部を構成する中空部１１ａが設けられている。
【００２９】
第１ポート１２および第２ポート１３は、それぞれベース部１１の軸方向の一端および他端から突設されており、略円筒状の形状を有している。第１ポート１２および第２ポート１３の内部の空間は、それぞれベース部１１の中空部１１ａに連通している。
【００３０】
これら第１ポート１２および第２ポート１３は、輸液ラインの一部を構成する図示しない一対のチューブの各々の一端が接続される継ぎ手部であり、接続に際しては、一方のチューブの一端が第１ポート１２に内挿されて固定されるとともに、他方のチューブの一端が第２ポート１３に内挿されて固定される。これにより、一対のチューブがベース部１１の中空部１１ａを介して連通することになり、これら一対のチューブと医療用コネクタ１Ａとによって輸液ラインが構成されることになる。
【００３１】
台座部１４は、ベース部１１の周方向の所定位置に設けられており、ベース部１１の周壁に穿設された孔部１４ａと、当該孔部１４ａを取り囲むようにベース部１１の周壁に設けられた環状かつ平面状の座面１４ｂと、当該座面１４ｂから外側に向けて突出するように形成された環状突起１４ｃとを有している。孔部１４ａは、ベース部１１の中空部１１ａに連通しており、環状突起１４ｃは、孔部１４ａを取り囲むように位置している。
【００３２】
第２ハウジング２０は、全体として略円筒状の形状を有しており、ポート部２１と、カバー部２２とを含んでいる。
【００３３】
ポート部２１は、略円筒状の形状を有しており、内部に中空部２１ａが設けられるとともに、外周面に雄ネジ２１ｂが設けられている。ポート部２１の軸方向の一端には、雄ルアーが挿入可能な開口が形成されている。
【００３４】
カバー部２２は、上述した開口が設けられた一端とは反対側に位置するポート部２１の軸方向の他端から外側に向けてフランジ状に突設された略環状の部位からなる。カバー部２２の表面のうち、ポート部２１の上記他端側に位置する外表面には、環状かつ平面状の押圧面２２ａが設けられている。
【００３５】
第２ハウジング２０は、カバー部２２が設けられた側の端部が第１ハウジング１０の台座部１４に向き合った状態で第１ハウジング１０に固定されており、より詳細には、カバー部２２の外縁部が第１ハウジング１０の台座部１４の外縁部に固定されている。これにより、ポート部２１は、全体として略円筒状の形状を有する第１ハウジング１０の軸方向と直交する方向に向けて第１ハウジング１０のベース部１１から延在して位置している。
【００３６】
セプタム３０は、所定の厚みを有する円盤状のディスク弁からなり、その中央部に直線状に延びるスリット３１が設けられている。スリット３１は、セプタム３０が弾性変形することで開放可能な自閉式の連通孔であり、厚み方向に沿ってセプタム３０を貫通している。
【００３７】
セプタム３０は、第１ハウジング１０と第２ハウジング２０との間に形成された空間に介装されており、第１ハウジング１０と第２ハウジング２０とによって圧縮された状態で挟持されている。これにより、第１ハウジング１０の内部に位置する中空部１１ａと、第２ハウジング２０の内部に位置する中空部２１ａとは、セプタム３０によって隔たれた状態とされている。
【００３８】
セプタム３０が第１ハウジング１０と第２ハウジング２０とによって挟持されることにより、セプタム３０の一方の主面の周縁部が、第１ハウジング１０の座面１４ｂに圧接触しており、セプタム３０の他方の主面の周縁部が、第２ハウジング２０の押圧面２２ａに圧接触している。これにより、セプタム３０と第１ハウジング１０との境界およびセプタム３０と第２ハウジング２０との境界において、密閉性が確保されることになる。
【００３９】
加えて、上述したように、第１ハウジング１０の座面１４ｂには、環状突起１４ｃが設けられている。当該環状突起１４ｃは、第１ハウジング１０とセプタム３０との接触部における密着性をさらに高めるために設けられたものであり、当該環状突起１４ｃがセプタム３０の一方の主面の周縁部に食い込むことにより、当該部分における密閉性がさらに向上することになる。
【００４０】
セプタム３０に設けられたスリット３１は、中空部１１ａに面するとともに中空部２１ａにも面している。これにより、ポート部２１の中空部２１ａに雄ルアーが挿入された場合において、雄ルアーによってセプタム３０が押し下げられることにより、セプタム３０が中空部１１ａ側に向けて弾性変形することになり、これに伴ってスリット３１が開口することで輸液ラインの密閉性を維持しつつ液体の注入や採取が可能になる。
【００４１】
上述した第１ハウジング１０および第２ハウジング２０は、その材質が特に制限されるものではないが、樹脂材料を用いた射出成型品にてこれが構成されていることが好ましい。ここで、樹脂材料としては、ポリプロピレンやポリエチレン等の比較的硬質のものが用いられることが好ましい。なお、第１ハウジング１０と第２ハウジング２０との固定方法も、特に制限されるものではないが、好適には溶着や接着、機械的な係止またはそれらの組み合わせ等が利用できる。
【００４２】
また、セプタム３０は、その材質が特に制限されるものではないが、良好な弾性を呈することとなるように、たとえばシリコーンゴム、ブチルゴム、ニトリルゴム、天然ゴム等のゴム材料か、あるいは熱可塑性エラストマー等によって形成されていることが好ましい。
【００４３】
図４に示すように、第２ハウジング２０およびセプタム３０を第１ハウジング１０に組付けるに際しては、まず、セプタム３０によって第１ハウジング１０の孔部１４ａが覆われるとともにセプタム３０の一方の主面の周縁部が第１ハウジング１０の座面１４ｂに載置されるように、セプタム３０が第１ハウジング１０の台座部１４に載置される。この状態において、第１ハウジング１０の台座部１４に載置されたセプタム３０を覆うように、さらに第２ハウジング２０が第１ハウジング１０の台座部１４に組付けられ、さらにその後、カバー部２２の外縁部が第１ハウジング１０の台座部１４の外縁部に固定される。
【００４４】
一方、図１ないし図３に示すように、キャップ３は、単一の部材からなる一部品としてのキャップ体４０にて構成されている。
【００４５】
キャップ体４０は、固定部４１と蛇腹部４２とロッド部４３とを含んでおり、内部にロッド部４３が立設されてなる全体として有底略円筒状の形状を有している。
【００４６】
固定部４１は、略円筒状の形状を有しており、内周面に雌ネジ４１ａが設けられている。固定部４１は、キャップ３をコネクタ本体２に取付けるための部位であり、コネクタ本体２のポート部２１よりも僅かに大きい外形を有している。固定部４１の内周面に設けられた雌ネジ４１ａは、ポート部２１の外周面に設けられた雄ネジ２１ｂに螺合可能であり、取付状態においてこれら雄ネジ２１ｂと雌ネジ４１ａとが螺合することにより、キャップ３がコネクタ本体２のポート部２１に取付けられる。
【００４７】
蛇腹部４２は、略円筒状の形状を有しており、固定部４１の軸方向の一端から連続して延びている。蛇腹部４２は、複数の襞が軸方向に沿って並ぶように配置されたものであり、複数の襞の各々は、周方向に沿って周回して設けられている。これら複数の襞が展ばされたり折り畳まれたりすることにより、蛇腹部４２は、軸方向に沿って伸縮することになる。蛇腹部４２の固定部４１が位置する側とは反対側の端部には、内側に向けて延びるように円環平板状の頂部４２ａが設けられている。
【００４８】
ロッド部４３は、先端４３ａが閉塞された中空略円筒状の形状を有しており、蛇腹部４２の上述した頂部４２ａから連続して延びるように立設されている。ロッド部４３の外径は、固定部４１および蛇腹部４２の内径よりも小さく構成されており、これによりロッド部４３は、固定部４１および蛇腹部４２の内部に挿通している。なお、ロッド部４３の外径は、２．０ｍｍ以上５．０ｍｍ以下とされることが好ましい。
【００４９】
ロッド部４３のうち、取付状態においてセプタム３０側に位置することとなる先端４３ａから固定部４１の軸方向に沿ってロッド部４３の根元側（すなわち、蛇腹部４２の頂部４２ａ側）に向けて所定距離（５．０ｍｍ以上、好ましくは５．０ｍｍ以上６．０ｍｍ以下）だけ離れた部分には、ポート部２１の内径よりも大きい外形を有する部位（すなわち拡径部）が設けられている。本実施の形態においては、当該部位よりも先端４３ａ側の部分において、ロッド部４３の外径がポート部２１の内径よりも小さく構成されており、当該部位よりも上記根元側の部分において、ロッド部４３の外径がポート部２１の内径よりも大きく構成されている。これにより、ロッド部４３には、後述する突き当たり面４３ｂ１が形成されることになるが、その詳細については後述することとする。なお、上記拡径部は、ロッド部４３の上記一端側の内径が４．９ｍｍである場合に、直径が４．９ｍｍの仮想円よりも大きい外形を有していることが好ましい。
【００５０】
上述したように、固定部４１、蛇腹部４２およびロッド部４３を含むキャップ体４０は、単一の部材からなる一部品として構成される。ここで、キャップ体４０は、その材質が特に制限されるものではないが、樹脂材料を用いた射出成型品またはシート成型品にてこれが構成されていることが好ましい。上記樹脂材料としては、ポリプロピレンやポリエチレン等の比較的硬質のものや、比較的軟質の熱可塑性エラストマー等を用いることができる。
【００５１】
図５は、本実施の形態に係るキャップの形態変化を示す断面図である。ここで、図５（Ａ）は、キャップの蛇腹部を展開させた状態を表わしており、図５（Ｂ）は、キャップの蛇腹部を収縮させた状態を表わしている。次に、この図５を参照して、本実施の形態に係るキャップ３の形態変化について説明する。
【００５２】
上述したように、本実施の形態に係るキャップ３においては、固定部４１とロッド部４３とが蛇腹部４２によって連結されている。そのため、蛇腹部４２が有する複数の襞が展ばされたり折り畳まれたりすることにより、蛇腹部４２は、軸方向に沿って伸縮し、これに伴って固定部４１とロッド部４３とが固定部４１の軸方向に沿って相対的に移動することになる。
【００５３】
具体的には、図５（Ａ）に示すように、蛇腹部４２が有する複数の襞が展ばされた状態においては、蛇腹部４２が展開されて蛇腹部４２の軸方向の長さが相対的に長くなる。そのため、ロッド部４３は、その大部分が固定部４１および蛇腹部４２の内部に収容された状態となる。
【００５４】
一方、図５（Ｂ）に示すように、蛇腹部４２が有する複数の襞が折り畳まれた状態においては、蛇腹部４２が収縮して蛇腹部４２の軸方向の長さが短くなる。そのため、ロッド部４３は、その根元寄りの部分の一部が固定部４１および蛇腹部４２の内部に収容されてはいるものの、その先端４３ａ寄りの部分が大きく固定部４１および蛇腹部４２の外部に向けて突出した状態となる。なお、ロッド部４３は、その先端４３ａが位置する側に向けて、当該先端４３ａが固定部４１の軸方向に沿って固定部４１よりも５．０ｍｍ以上突出した位置にまで移動可能となるように構成されている。
【００５５】
すなわち、本実施の形態に係るキャップ３においては、蛇腹部４２が軸方向に沿って伸縮することにより、固定部４１とロッド部４３とが固定部４１の軸方向に沿って相対的に移動し、結果としてロッド部４３の先端４３ａの突出量を変化させることができるように構成されている。
【００５６】
ここで、本実施の形態に係るキャップ３にあっては、上述した蛇腹部４２が展開した状態と収縮した状態との少なくとも２つの状態において、当該キャップ３の形態が安定的に維持可能となるように構成されている。換言すれば、ロッド部４３の先端４３ａが固定部４１の軸方向に沿った少なくとも２カ所の位置において軽保持されるように、キャップ３が構成されている。
【００５７】
このように構成することにより、後述するキャップ３の使用態様の各局面において、キャップ３の形態が安定することになり、キャップ３の機能が十分に発揮されることになる。なお、キャップ３の形態の維持は、たとえばキャップ体４０の形状や材質を調整することで実現可能である。
【００５８】
図６および図７は、本実施の形態に係るニードルレスポートを備えた医療用コネクタにおける拭き取り消毒時の操作を説明するための斜視図および模式断面図である。次に、これら図６および図７ならびに前述の図２および図３を参照して、本実施の形態に係るキャップ３の使用方法について詳説する。
【００５９】
図２および図３に示すように、ニードルレスポートの不使用時（当該不使用時には、医療用コネクタ１Ａ自体の不使用時（たとえば医療用コネクタ１Ａの出荷前や保管時等）や、医療用コネクタ１Ａの使用時であって液体の注入や採取が実施されていないとき等が含まれる）においては、コネクタ本体２のポート部２１にキャップ３が取付けられる。このキャップ３がコネクタ本体２に取付けられた取付状態においては、ポート部２１に設けられた雄ルアー挿入用の開口がキャップ３によって閉鎖された状態となり、医療用コネクタ１Ａの雄ルアーが挿入されることとなる部分の表面に細菌等が付着してしまうことが防止できる。
【００６０】
ここで、図３に示すように、取付状態においては、キャップ３が図５（Ａ）において示した状態にあり、蛇腹部４２が展開された状態にあるため、キャップ３のロッド部４３の先端４３ａは、セプタム３０に非接触または軽接触の状態にある。したがって、セプタム３０に設けられたスリット３１が開口することはなく、輸液ラインの液密性が確保されることになる。
【００６１】
ただし、当該図３に示す状態において、キャップ３が過って操作されて蛇腹部４２が収縮してしまった場合には、ロッド部４３の先端４３ａがセプタム３０を大きく押し込むことでセプタム３０が押し下げられてスリット３１が開口してしまい、結果として輸液ラインの液密性が阻害されてしまう懸念がある。そのため、本実施の形態においては、上述したように、ロッド部４３の軸方向における所定部位に、ポート部２１の内径よりも大きい外形を有する部位が設けられている。
【００６２】
これにより、上述の過った操作がなされた場合にも、ロッド部４３には、セプタム３０側を向く突き当たり面４３ｂ１が形成されているため、当該突き当たり面４３ｂ１がポート部２１の軸方向端面に当接することになり、それ以上のロッド部４３の挿入が行なわれなくなる。
【００６３】
このように、ロッド部４３に上述した如くの突き当たり面４３ｂ１を設けることにより、ロッド部４３のポート部２１に対する挿入深さが制限されることになり、キャップ３の取付状態における輸液ラインの液密性が確実に担保できることになる。
【００６４】
一方、医療用コネクタ１Ａの使用時であってかつ液体の注入や採取が実施される場合には、これに先立ってまず拭き取り消毒が行なわれる。拭き取り消毒時においては、キャップ３がコネクタ本体２から取り外され、取り外されたキャップ３とアルコールを滲み込ませたガーゼ等の消毒用シートとが用いられて消毒作業が行われる。
【００６５】
その際、図６および図７に示すように、キャップ３が図５（Ｂ）において示した状態（すなわち、蛇腹部４２が収縮した状態）とされ、当該状態にあるキャップ３の固定部４１から突出した部分のロッド部４３の先端４３ａに消毒用シート７０が宛がわれ、この状態において消毒用シート７０ごとロッド部４３がポート部２１の中空部２１ａに挿入される。
【００６６】
これにより、ロッド部４３によって押し込まれた部分の消毒用シート７０が、雄ルアーに接触することとなる部分のセプタム３０の表面に接触することになり、これにより当該セプタム３０の表面の消毒が行なわれる。その結果、当該セプタム３０の表面に万が一、細菌等が付着していた場合にもこれが除去されることになり、その後に実施される液体の注入や採取の際に、輸液ラインに細菌等が混入してしまうことが防止できる。
【００６７】
また、その際、上述したロッド部４３に設けられた突き当たり面４３ｂ１が消毒用シート７０を介してポート部２１の軸方向端面に当接することにより、ロッド部４３のポート部２１に対する挿入深さが制限されることになるため、この拭き取り消毒時においても輸液ラインの液密性が確保されることになる。
【００６８】
ここで、上述した拭き取り消毒時においては、取付状態にあるキャップ３をコネクタ本体２から取り外し、その後、キャップ３の蛇腹部４２が展開した状態から収縮した状態へと形態変化させ、さらに消毒用シート７０を介在させた状態でキャップ３のロッド部４３の先端４３ａをポート部２１の中空部２１ａへ挿し込むまでの一連の作業の間の全期間にわたって、キャップ３の天地をひっくり返す必要がない。
【００６９】
そのため、本実施の形態に係るニードルレスポートおよびこれに具備されるキャップ３とすることにより、キャップ３を落下させる可能性が非常に低く抑えられることになり、結果として拭き取り消毒がより容易にかつ確実に行なえる取扱い性に優れたものとすることができる。
【００７０】
また、キャップ３は、コネクタ本体２から取り外された状態において、たとえば固定部４１を片方の手の親指と中指で把持し、当該片方の手の人差し指で頂部４２ａを固定部４１側に向けて押し下げる方法や、固定部４１を片方の手の人差し指と中指の間において挟み、当該片方の手の親指で頂部４２ａを固定部４１側に向けて押し下げる方法等によって操作できる。
【００７１】
したがって、本実施の形態に係るニードルレスポートおよびこれに具備されるキャップ３とすることにより、上述した拭き取り消毒の一連の作業において、一方の手で消毒用シート７０を持ち、他方の手でキャップ３を操作することもでき、この点においても、拭き取り消毒がより容易にかつ確実に行なえる取扱い性に優れたものとすることができる。また、使用後にロッド部４３をキャップ３内に戻すことでロッド部４３をキャップ３内に位置させることができ、ロッド部４３の汚染を防止することができる。
【００７２】
図８は、本実施の形態に係る医療用コネクタのニードルレスポートにルアーロック型シリンジを接続する場合の接続前後の模式断面図であり、図８（Ａ）および図８（Ｂ）は、それぞれ接続前の状態および接続後の状態を表わしている。以下、この図８を参照して、本実施の形態の係る医療用コネクタ１Ａのニードルレスポートの使用態様の一例として、当該ニードルレスポートにルアーロック型シリンジ６０を接続する場合の使用態様について説明する。
【００７３】
図８に示すように、ルアーロック型シリンジ６０は、バレルの先端にルアーロック型雄側コネクタを有しており、当該ルアーロック型雄側コネクタは、雄ルアー６１と、当該雄ルアー６１を取り囲むように設けられた筒状のロック部６２とを含んでいる。雄ルアー６１の内部には、ルアーロック型シリンジ６０の外部とバレルの内部とを連通させる中空部６１ａが設けられており、ロック部６２の内周面には、雌ネジ６２ａが設けられている。
【００７４】
図８（Ａ）に示すように、医療用コネクタ１Ａのニードルレスポートにルアーロック型シリンジ６０を接続するに際しては、医療用コネクタ１Ａのニードルレスポートにルアーロック型シリンジ６０のルアーロック型雄側コネクタが対峙するようにし、この状態において、ポート部２１の中空部２１ａに雄ルアー６１を図中に示す矢印Ａ方向に向けて挿入しつつ、ポート部２１にロック部６２が捻じ込まれるように図中に示す矢印Ｂ方向に向けてルアーロック型シリンジ６０を回転させる。これにより、ポート部２１の外周面に設けられた雄ネジ２１ｂとロック部６２の内周面に設けられた雌ネジ６２ａとが螺合するとともに、雄ルアー６１の先端によってセプタム３０が中空部１１ａ側に向けて押し下げられる。
【００７５】
図８（Ｂ）に示すように、医療用コネクタ１Ａのニードルレスポートにルアーロック型シリンジ６０が接続された状態においては、雄ルアー６１によってセプタム３０が押し下げられることでセプタム３０が所定量だけ弾性変形し、これによってスリット３１が開口した状態にある。そのため、開口したスリット３１と雄ルアー６１の中空部６１ａとを介して、輸液ラインの一部である医療用コネクタ１Ａの中空部１１ａとルアーロック型シリンジ６０のバレルの内部とが連通した状態となり、これにより輸液ラインの密閉性を維持しつつ液体の注入や採取が行なえることになる。
【００７６】
（実施の形態２）
図９は、本発明の実施の形態２に係るニードルレスポートを備えた医療用コネクタにおいてコネクタ本体からキャップを取り外した状態を表わす斜視図であり、図１０は、コネクタ本体にキャップを取付けた状態を表わす斜視図である。また、図１１は、図１０に示す状態における医療用コネクタの図１０中に示すＸＩ−ＸＩ線に沿った断面図である。まず、これら図９ないし図１１を参照して、本実施の形態に係るニードルレスポートおよびこれに具備されるニードルレスポート用キャップ３を備えた医療用コネクタ１Ｂの構成について説明する。
【００７７】
図９ないし図１１に示すように、本実施の形態に係る医療用コネクタ１Ｂは、上述した実施の形態１に係る医療用コネクタ１Ａと比較した場合に、同様の構成のコネクタ本体２と、異なる構成のキャップ３とを備えている。具体的には、キャップ３は、異なる部材からなる固定部材５０Ａおよびロッド部材５０Ｂの二部品にて構成されている。
【００７８】
固定部材５０Ａは、有底略円筒状の固定部５１を含んでおり、固定部５１の内周面には、雌ネジ５１ａが設けられている。固定部５１の軸方向の一端には、底部５１ｂが設けられており、底部５１ｂの中央には、平面視円形の貫通孔５１ｂ１が設けられている。なお、固定部５１の外周面は、所定形状の凹凸面にて構成されており、これにより後述する操作の際の手のスリップの防止が図られている。
【００７９】
固定部５１は、キャップ３をコネクタ本体２に取付けるための部位であり、コネクタ本体２のポート部２１よりも僅かに大きい外形を有している。固定部５１の内周面に設けられた雌ネジ５１ａは、ポート部２１の外周面に設けられた雄ネジ２１ｂに螺合可能であり、取付状態においてこれら雄ネジ２１ｂと雌ネジ５１ａとが螺合することにより、キャップ３がコネクタ本体２のポート部２１に取付けられる。
【００８０】
ロッド部材５０Ｂは、先端５３ａが閉塞された中空略円筒状の形状を有するロッド部５３と、ロッド部５３の先端５３ａが位置する側とは反対側の端部に設けられたフランジ状の操作摘み５４とを含んでいる。ロッド部５３は、固定部材５０Ａの底部５１ｂに設けられた貫通孔５１ｂ１に挿通されており、これにより固定部材５０Ａとロッド部材５０Ｂとが相互に組付けられているとともに、ロッド部５３が固定部５１の内部に挿通している。なお、ロッド部５３の外径は、２．０ｍｍ以上５．０ｍｍ以下とされることが好ましい。
【００８１】
ここで、ロッド部５３の外径は、貫通孔５１ｂ１の径とほぼ同等となるように構成されており、これによりロッド部５３は、固定部５１に摺動可能に保持されている。そのため、固定部材５０Ａとロッド部材５０Ｂとは、相対的に移動可能に組付けられている。
【００８２】
ロッド部５３のうち、取付状態においてセプタム３０側に位置することとなる先端５３ａから固定部５１の軸方向に沿ってロッド部５３の根元側（すなわち、操作摘み５４側）に向けて所定距離（５．０ｍｍ以上、好ましくは５．０ｍｍ以上６．０ｍｍ以下）だけ離れた部分には、ポート部２１の内径よりも大きい外形を有する部位である膨出部５３ｂ（すなわち拡径部）が設けられている。これにより、ロッド部５３には、後述する突き当たり面５３ｂ１が形成されることになるが、その詳細については後述することとする。なお、上記膨出部（拡径部）は、ロッド部５３の上記一端側の内径が４．９ｍｍである場合に、直径が４．９ｍｍの仮想円よりも大きい外形を有していることが好ましい。
【００８３】
また、上述した膨出部５３ｂは、固定部材５０Ａの底部５１ｂに設けられた貫通孔５１ｂ１の径よりも大きい外形を有している。これにより、ロッド部５３には、ロッド部５３の根元側を向く突き当たり面５３ｂ２が設けられることになる。突き当たり面５３ｂ２は、ロッド部５３の移動を制限する部位であり、当該突き当たり面５３ｂ２が固定部材５０Ａの底部５１ｂに当接することにより、それ以上のロッド部５３の移動が制限されてロッド部材５０Ｂの固定部材５０Ａからの脱落が防止されている。
【００８４】
なお、操作摘み５４の外周面は、所定形状の凹凸面にて構成されており、これにより後述する操作の際の手のスリップの防止が図られている。
【００８５】
上述したように、キャップ３は、固定部材５０Ａおよびロッド部材５０Ｂからなる二部品にて構成される。ここで、固定部材５０Ａおよびロッド部材５０Ｂは、その材質が特に制限されるものではないが、樹脂材料を用いた射出成型品にてこれが構成されていることが好ましい。上記樹脂材料としては、ポリプロピレンやポリエチレン、ポリカーボネート等の比較的硬質のものを用いることが好ましい。
【００８６】
図１２は、本実施の形態に係るキャップの形態変化を示す断面図である。ここで、図１２（Ａ）は、固定部材をロッド部材のロッド部の先端側に配置させた状態を表わしており、図１２（Ｂ）は、固定部材をロッド部材の操作摘み側に配置させた状態を表わしている。次に、この図１２を参照して、本実施の形態に係るキャップ３の形態変化について説明する。
【００８７】
上述したように、本実施の形態に係るキャップ３においては、ロッド部５３が固定部５１に摺動可能に保持されることにより、固定部材５０Ａとロッド部材５０Ｂとが、相対的に移動可能に組付けられている。そのため、固定部５１に対してロッド部５３を摺動させることにより、固定部５１とロッド部５３とが固定部５１の軸方向に沿って相対的に移動することになる。
【００８８】
具体的には、図１２（Ａ）に示すように、固定部材５０Ａをロッド部材５０Ｂのロッド部５３の先端５３ａ側に配置させた状態においては、ロッド部５３は、その先端５３ａ側の部分が固定部材５０Ａの内部に収容された状態となり、その操作摘み５４側の部分が固定部材５０Ａの外部に露出した状態となる。
【００８９】
一方、図１２（Ｂ）に示すように、固定部材５０Ａをロッド部材５０Ｂの操作摘み５４側に配置させた状態においては、ロッド部５３は、その操作摘み５４側の部分が固定部材５０Ａの内部に収容された状態となり、その先端５３ａ側の部分が固定部材５０Ａの外部に露出するとともに大きく固定部５１の外部に向けて突出した状態となる。なお、ロッド部５３は、その先端５３ａが位置する側に向けて、当該先端５３ａが固定部５１の軸方向に沿って固定部５１よりも５．０ｍｍ以上突出した位置にまで移動可能となるように構成されている。
【００９０】
すなわち、本実施の形態に係るキャップ３においては、ロッド部５３が軸方向に沿って摺動することにより、固定部５１とロッド部５３とが固定部５１の軸方向に沿って相対的に移動し、結果としてロッド部５３の先端５３ａの突出量を変化させることができるように構成されている。
【００９１】
ここで、本実施の形態に係るキャップ３にあっては、上述した固定部材５０Ａがロッド部材５０Ｂのロッド部５３の先端５３ａ側に配置された状態とロッド部材５０Ｂの操作摘み５４側に配置された状態との少なくとも２つの状態において、当該キャップ３の形態が安定的に維持可能となるように構成されている。換言すれば、ロッド部５３の先端５３ａが固定部５１の軸方向に沿った少なくとも２カ所の位置において軽保持されるように、キャップ３が構成されている。
【００９２】
このように構成することにより、後述するキャップ３の使用態様の各局面において、キャップ３の形態が安定することになり、キャップ３の機能が十分に発揮されることになる。なお、キャップ３の形態の維持は、たとえば固定部材５０Ａの底部５１ｂとロッド部材５０Ｂのロッド部５３との間の摩擦力を適宜調整することで実現が可能である。
【００９３】
図１３および図１４は、本実施の形態に係るニードルレスポートを備えた医療用コネクタにおける拭き取り消毒時の操作を説明するための斜視図および模式断面図である。次に、これら図１３および図１４ならびに前述の図１０および図１１を参照して、本実施の形態に係るキャップ３の使用方法について詳説する。
【００９４】
図１０および図１１に示すように、ニードルレスポートの不使用時（当該不使用時には、医療用コネクタ１Ｂ自体の不使用時（たとえば医療用コネクタ１Ｂの出荷前や保管時等）や、医療用コネクタ１Ｂの使用時であって液体の注入や採取が実施されていないとき等が含まれる）においては、コネクタ本体２のポート部２１にキャップ３が取付けられる。このキャップ３がコネクタ本体２に取付けられた取付状態においては、ポート部２１に設けられた雄ルアー挿入用の開口がキャップ３によって閉鎖された状態となり、医療用コネクタ１Ｂの雄ルアーが挿入されることとなる部分の表面に細菌等が付着してしまうことが防止できる。
【００９５】
ここで、図１１に示すように、取付状態においては、キャップ３が図１２（Ａ）において示した状態にあり、固定部材５０Ａがロッド部材５０Ｂのロッド部５３の先端５３ａ側に配置された状態にあるため、キャップ３のロッド部５３の先端５３ａは、セプタム３０に非接触または軽接触の状態にある。したがって、セプタム３０に設けられたスリット３１が開口することはなく、輸液ラインの液密性が確保されることになる。
【００９６】
ただし、当該図１１に示す状態において、キャップ３が過って操作されてロッド部材５０Ｂが押し込まれてしまった場合には、ロッド部５３の先端５３ａがセプタム３０を大きく押し込むことでセプタム３０が押し下げられてスリット３１が開口してしまい、結果として輸液ラインの液密性が阻害されてしまう懸念がある。そのため、本実施の形態においては、上述したように、ロッド部５３の軸方向における所定部位に、ポート部２１の内径よりも大きい外形を有する部位である膨出部５３ｂが設けられている。
【００９７】
これにより、上述の過った操作がなされた場合にも、ロッド部５３の膨出部５３ｂには、セプタム３０側を向く突き当たり面５３ｂ１が形成されているため、当該突き当たり面５３ｂ１がポート部２１の軸方向端面に当接することになり、それ以上のロッド部５３の挿入が行なわれなくなる。
【００９８】
このように、ロッド部５３に上述した如くの突き当たり面５３ｂ１を設けることにより、ロッド部５３のポート部２１に対する挿入深さが制限されることになり、取付状態における輸液ラインの液密性が確実に担保できることになる。
【００９９】
一方、医療用コネクタ１Ｂの使用時であってかつ液体の注入や採取が実施される場合には、これに先立ってまず拭き取り消毒が行なわれる。拭き取り消毒時においては、キャップ３がコネクタ本体２から取り外され、取り外されたキャップ３とアルコールを滲み込ませたガーゼ等の消毒用シートとが用いられて消毒作業が行われる。
【０１００】
その際、図１３および図１４に示すように、キャップ３が図１２（Ｂ）において示した状態（すなわち、固定部材５０Ａがロッド部材５０Ｂの操作摘み５４側に配置された状態）とされ、当該状態にあるキャップ３の固定部５１から突出した部分のロッド部５３の先端５３ａに消毒用シート７０が宛がわれ、この状態において消毒用シート７０ごとロッド部５３がポート部２１の中空部２１ａに挿入される。
【０１０１】
これにより、ロッド部５３によって押し込まれた部分の消毒用シート７０が、雄ルアーに接触することとなる部分のセプタム３０の表面に接触することになり、これにより当該セプタム３０の表面の消毒が行なわれる。その結果、当該セプタム３０の表面に万が一、細菌等が付着していた場合にもこれが除去されることになり、その後に実施される液体の注入や採取の際に、輸液ラインに細菌等が混入してしまうことが防止できる。
【０１０２】
また、その際、上述したロッド部５３に設けられた突き当たり面５３ｂ１が消毒用シート７０を介してポート部２１の軸方向端面に当接することにより、ロッド部５３のポート部２１に対する挿入深さが制限されることになるため、この拭き取り消毒時においても輸液ラインの液密性が確保されることになる。
【０１０３】
ここで、上述した拭き取り消毒時においては、取付状態にあるキャップ３をコネクタ本体２から取り外し、その後、固定部材５０Ａがロッド部材５０Ｂのロッド部５３の先端５３ａ側に配置された状態からロッド部材５０Ｂの操作摘み５４側に配置された状態へと形態変化させ、さらに消毒用シート７０を介在させた状態でキャップ３のロッド部５３の先端５３ａをポート部２１の中空部２１ａへ挿し込むまでの一連の作業の間の全期間にわたって、キャップ３の天地をひっくり返す必要がない。
【０１０４】
そのため、本実施の形態に係るニードルレスポートおよびこれに具備されるキャップ３とすることにより、キャップ３を落下させる可能性が非常に低く抑えられることになり、結果として拭き取り消毒がより容易にかつ確実に行なえる取扱い性に優れたものとすることができる。また、使用後にロッド部５３をキャップ３内に戻すことでロッド部５３をキャップ３内に位置させることができ、ロッド部５３の汚染を防止することができる。
【０１０５】
また、キャップ３は、コネクタ本体２から取り外された状態において、たとえば固定部５１を片方の手の親指と中指で把持し、当該片方の手の人差し指で操作摘み５４を固定部５１側に向けて押し下げる方法や、固定部５１を片方の手の人差し指と中指の間において挟み、当該片方の手の親指で操作摘み５４を固定部５１側に向けて押し下げる方法等によって操作できる。
【０１０６】
したがって、本実施の形態に係るニードルレスポートおよびこれに具備されるキャップ３とすることにより、上述した拭き取り消毒の一連の作業において、一方の手で消毒用シート７０を持ち、他方の手でキャップ３を操作することもでき、この点においても、拭き取り消毒がより容易にかつ確実に行なえる取扱い性に優れたものとすることができる。
【０１０７】
上述した本発明の実施の形態１および２においては、キャップに設けられる固定部とロッド部との連結態様として、固定部とロッド部とを蛇腹部にて接続した連結態様と、固定部とロッド部とが摺動可能に組付けられてなる連結態様とを具体的に例示して説明を行なったが、これら固定部とロッド部との連結態様は、これらの連結態様に限定されるものではなく、固定部とロッド部とが固定部の軸方向に沿って相対的に移動可能に連結された連結態様であれば、どのような連結態様を採用してもよい。
【０１０８】
たとえば、上述した本発明の実施の形態１においては、固定部とロッド部とを別々に製造した後に固定部とロッド部とを一体化させることにより、固定部とロッド部とを一部品にて構成することとしてもよい。また、ロッド部の固定部に対する軸方向に沿った相対的な移動を可能にさせる構成として、上述した本発明の実施の形態１においては、蛇腹部が採用された構成とされていたが、軸方向に伸長変形するような構成であればよく、鏡筒（鏡胴）状の筒状体や、硬度を調整した単なる筒状体にて構成してもよい。また、上述した本発明の実施の形態２においては、固定部とロッド部とが単に軸方向にスライドするように構成されていたが、螺旋状のガイドを設けるなどしてねじ式に固定部とロッド部とが軸方向に相対的にスライドするように構成してもよい。
【０１０９】
さらに、上述した本発明の実施の形態１および２においては、ロッド部が軸方向の少なくとも２箇所において軽保持されるように構成されていたが、ロッド部が先端側に移動した状態あるいはロッド部が根元側に移動した状態のいずれかで軽保持されるように構成してもよく、また、軽保持機能がないように構成してもよい。なお、消毒時の使用者の使い勝手を考慮すると、ロッドが先端側に移動した状態で軽保持されるように構成しておくことが好ましい。
【０１１０】
また、上述した本発明の実施の形態１および２においては、膨出部が凸状に形成されており、当該凸状の膨出部がポートの端部に接触することでロッド部の挿入深さが規制されるように構成しているが、ロッド部の外面をテーパー状に構成することでテーパ部を形成し、当該テーパー部とポートの端部とが接触することでロッド部の挿入深さが規制されるように構成してもよい。また、さらには、ロッド部の挿入深さの規制をポート部の端部とロッド部との接触で行うのではなく、ポート部の内周面とロッド部との接触にて行なうこととしてもよい。
【０１１１】
また、本発明によれば、消毒作業においてキャップの天地をひっくり返す作業を行う必要がないため、キャップとポート部とを紐あるいは紐状の部材にて繋ぐこともできる。このようにすれば、キャップが地面等に落下することが防止可能になる。また、ロッド部は展開状態において、ロッド部の先端が固定部の端部から食み出さないように構成することが好ましい。このようにすれば、キャップを台等に置く場合に固定部の端部が台に接触するようにしてキャップを立てても、ロッド部の先端が台に触れないことになり、ロッド部が汚染することを防止することができる。また、固定部等のキャップの外観形状は、略円筒形状に限られず、使用者の持ちやすさを考慮した角形状とされいてもよい。
【０１１２】
また、上述した本発明の実施の形態１および２においては、ロッド部に突き当たり面を設けることによってロッド部の移動が所定範囲内に制限されるように構成した場合を例示して説明を行なったが、他の機械的な手段等によってロッド部の移動を制限するように構成することも当然に可能である。
【０１１３】
また、上述した本発明の実施の形態１および２においては、本発明が適用されたニードルレスポートならびにニードルレスポート用キャップを備えた医療用コネクタを例示して説明を行なったが、本発明の適用対象は、この種の医療用コネクタに設けられたニードルレスポートならびにニードルレスポート用キャップに限定されるものではなく、他の種類の医療用コネクタに設けられたニードルレスポートならびにニードルレスポート用キャップは勿論のこと、各種の医療用の輸液ラインや容器等に付設されたニードルレスポートならびにニードルレスポート用キャップにも、当然にその適用が可能である。
【０１１４】
また、本発明の適用対象は、これら医療用の輸液ラインや容器等に付設されたニードルレスポートならびにニードルレスポート用キャップへの適用に制限されるものでもなく、非医療用の輸液ラインや容器等に付設されたニードルレスポートならびにニードルレスポート用キャップへの適用も可能である。
【０１１５】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１１６】
１Ａ，１Ｂ  医療用コネクタ、２  コネクタ本体、３  キャップ、１０  第１ハウジング、１１  ベース部、１１ａ  中空部、１２  第１ポート、１３  第２ポート、１４  台座部、１４ａ  孔部、１４ｂ  座面、１４ｃ  環状突起、２０  第２ハウジング、２１  ポート部、２１ａ  中空部、２１ｂ  雄ネジ、２２  カバー部、２２ａ  押圧面、３０  セプタム、３１  スリット、４０  キャップ体、４１  固定部、４１ａ  雌ネジ、４２  蛇腹部、４２ａ  頂部、４３  ロッド部、４３ａ  先端、４３ｂ１  突き当たり面、５０Ａ  固定部材、５０Ｂ  ロッド部材、５１  固定部、５１ａ  雌ネジ、５１ｂ  底部、５１ｂ１  貫通孔、５３  ロッド部、５３ａ  先端、５３ｂ  膨出部、５３ｂ１，５３ｂ２  突き当たり面、５４  操作摘み、６０  ルアーロック型シリンジ、６１  雄ルアー、６１ａ  中空部、６２  ロック部、６２ａ  雌ネジ、７０  消毒用シート。
【図１】
2017143945.tif 000003
【図２】
2017143945.tif 000004
【図３】
2017143945.tif 000005
【図４】
2017143945.tif 000006
【図５】
2017143945.tif 000007
【図６】
2017143945.tif 000008
【図７】
2017143945.tif 000009
【図８】
2017143945.tif 000010
【図９】
2017143945.tif 000011
【図１０】
2017143945.tif 000012
【図１１】
2017143945.tif 000013
【図１２】
2017143945.tif 000014
【図１３】
2017143945.tif 000015
【図１４】
2017143945.tif 000016